(57)【特許請求の範囲】
【請求項１】
本体の背面側に設けられ、内面に第１接点端子を有する凹部と、
通信機能を実現させるための情報が記録されたＩＣカードと、
前記ＩＣカードを収納する、前記ＩＣカードの挿入部が前記凹部の側面に設けられたカード収納部と、
前記カード収納部に設けられた、前記ＩＣカードとの第２接点端子と、
前記凹部を覆う電池カバーと、
前記カード収納部に収められた前記ＩＣカードの脱離を防止する凸部を有し、前記凹部に嵌装されて前記第１接点端子と接続する電池パックと、
を具備する携帯通信装置であって、
前記カード収納部は、底面が前記凹部の底面より上方に位置し、かつ、前記ＩＣカードの挿入部側の領域の上面が、前記電池カバーを外した状態において開放され、
前記ＩＣカードの前記凹部側の端部と前記凸部の先端は、前記ＩＣカードの前記カード収納部への挿入方向と直角方向に形成され、
前記凸部の先端は、前記ＩＣカードとの接点端子と電気的に接続可能な領域に前記ＩＣカードが存在する状態において、前記ＩＣカードの前記凹部側の端部と接触する
ことを特徴とする携帯通信装置。
【請求項２】
前記カード収納部は、前記上面が開放された開放領域における前記ＩＣカードの挿抜方向の長さが、前記ＩＣカード自身の挿抜方向の長さより短いことを特徴とする請求項１に記載の携帯通信装置。
【請求項３】
前記電池パックは、嵌装状態において、前記凹部の底面からの高さが、前記カード収納部に挿入されたＩＣカードの上面より高く形成されている、
ことを特徴とする請求項１又は請求項２に記載の携帯通信装置。
【請求項４】
前記電池パックとの第１接点端子、及び前記カード収納部は、前記凹部の同じ内壁面側に設けられていることを特徴とする請求項１から請求項３のうちのいずれか１の請求項に記載の携帯通信装置。
【発明の詳細な説明】
【技術分野】
【０００１】
本発明は、通信機能を実現させるために必要な情報が記録されたＩＣカードを装着して使用する、例えば、携帯電話やＰＨＳなどの携帯通信装置に関する。
【背景技術】
【０００２】
近年、電話番号やユーザＩＤなどの情報を登録したＳＩＭカードと呼ばれるＩＣチップ内蔵カードを装着して使用する携帯電話やＰＨＳなどの携帯通信装置が普及している。
このような携帯通信装置では、ＳＩＭカードを抜き差しすることで、電話番号を他の携帯通信装置に移したり、ひとつの携帯通信装置で複数の電話番号を切替えて使用したりすることができる。
但し、ＳＩＭカードは頻繁に抜き差しすることを想定したものではなく、抜き差しの前に確実にＳＩＭカードの電源を切るために、携帯通信装置の電源をオフにする必要がある。
そのため、多くの携帯通信装置では、下記の特許文献に提案されているような、電池を取り外さないとＳＩＭカードの抜き差しができない構造になっている。
【特許文献１】特開２００７−０３６３９２公報
【特許文献２】特開２００５−１５９６３８公報
【０００３】
特許文献１には、電池収納凹部の底面にＳＩＭカード収納凹部を設け、重ねられた電池によりＳＩＭカードを固定する携帯通信機器が提案されている。
また、特許文献２には、電池挿入用凹部の側面にＳＩＭカードの挿抜口が設けられた携帯情報機器が提案されている。
【発明の開示】
【発明が解決しようとする課題】
【０００４】
しかしながら、特許文献１に記載の携帯通信機器は、ＳＩＭカードと電池を重ねて配置するため、機器の厚みを薄くすることが困難であった。
また、特許文献２に記載の携帯情報機器は、機器の薄型化は図りやすいものの、電池挿入用凹部の側面に開口部が設けられているため、ＳＩＭカードの挿脱がしづらかった。
【０００５】
そこで、本発明は、装置の厚みを増大させることなく、通信機能を実現させるために必要な情報が記録されたＩＣカードの挿抜をより容易にすることを目的とする。
【課題を解決するための手段】
【０００６】
（１）前記目的を達成するために、請求項１に記載の発明では、本体の背面側に設けられ、内面に第１接点端子を有する凹部と、通信機能を実現させるための情報が記録されたＩＣカードと、前記ＩＣカードを収納する、前記ＩＣカードの挿入部が前記凹部の側面に設けられたカード収納部と、前記カード収納部に設けられた、前記ＩＣカードとの第２接点端子と、前記凹部を覆う電池カバーと、前記カード収納部に収められた前記ＩＣカードの脱離を防止する凸部を有し、前記凹部に嵌装されて前記第１接点端子と接続する電池パックと、を具備する携帯通信装置であって、前記カード収納部は、底面が前記凹部の底面より上方に位置し、かつ、前記ＩＣカードの挿入部側の領域の上面が、前記電池カバーを外した状態において開放され、前記ＩＣカードの前記凹部側の端部と前記凸部の先端は、前記ＩＣカードの前記カード収納部への挿入方向と直角方向に形成され、前記凸部の先端は、前記ＩＣカードとの接点端子と電気的に接続可能な領域に前記ＩＣカードが存在する状態において、前記ＩＣカードの前記凹部側の端部と接触することを特徴とする携帯通信装置を提供する。
（２）請求項２に記載の発明では、前記カード収納部は、前記上面が開放された開放領域における前記ＩＣカードの挿抜方向の長さが、前記ＩＣカード自身の挿抜方向の長さより短いことを特徴とする請求項１に記載の携帯通信装置を提供する。
（３）請求項３に記載の発明では、前記電池パックは、嵌装状態において、前記凹部の底面からの高さが、前記カード収納部に挿入されたＩＣカードの上面より高く形成されている、ことを特徴とする請求項１又は請求項２に記載の携帯通信装置を提供する。
（４）請求項４に記載の発明では、前記電池パックとの第１接点端子、及び前記カード収納部は、前記凹部の同じ内壁面側に設けられていることを特徴とする請求項１から請求項３のうちのいずれか１の請求項に記載の携帯通信装置を提供する。
【発明の効果】
【０００７】
本発明によれば、カード収納部の底面が凹部の底面より上方に位置するよう設け、かつ、カード収納部におけるＩＣカードの挿入部側の領域の上面を開放することにより、ＩＣカードの挿抜を容易に行うことができる。
【発明を実施するための最良の形態】
【０００８】
以下、本発明の好適な実施の形態について、図１〜図５を参照して詳細に説明する。
（１）実施形態の概要
本実施形態では、ＳＩＭカードと呼ばれる電話番号などの情報が記憶されたＩＣカードを本体に差し込んで使用するタイプの携帯電話の構造について説明する。
携帯電話の背面には、ＳＩＭカードの収納部が設けられている。このカードの収納部は、電池パックの嵌込部に隣接して設けられており、ＳＩＭカードは、電池パックの嵌込部側からスライド挿入することによって収納部に装着される。
ＳＩＭカードの挿入部は、電池パックの嵌込部の内壁面に設けられており、ＳＩＭカードの着脱は、電池パックを取り外した状態でのみ行うことができる。
また、ＳＩＭカードの収納部は、上面部が開放された開放領域と、筐体の内部に位置する非開放領域とからなる。開放領域は、収納部におけるカードの挿入部（電池パックの嵌込部の内壁面）側に設けられている。
【０００９】
このようにＳＩＭカードの収納部に開放領域を設けることにより、ＳＩＭカードの着脱が容易になるだけでなく、ＳＩＭカードの装着の有無を電池パックを外すことなく視覚的に認識することができる。
また、ＳＩＭカードの収納部と電池パックの嵌込部の底部との間に段差を設けることにより、ＳＩＭカードの取り外しが容易にできる。
さらに、電池パックには、ＳＩＭカードの挿入を補助すると共に、ＳＩＭカードの脱離を防止する機能を有する凸部（突起部）が設けられている。
本実施形態では、電池パックの電極部との接点部と、ＳＩＭカードの収納部とを電池パックの嵌込部における同じ内壁面側に設けることにより、ＳＩＭカードの挿入と電池パックの装着を同時に行うことができる。
【００１０】
（２）本実施形態の詳細
本実施形態では、携帯通信装置の一例として、通信機能を実現させるために必要な電話番号や利用者ＩＤなどの情報が記録されたＳＩＭ（Ｓｕｂｓｃｒｉｂｅｒ  Ｉｄｅｎｔｉｔｙ  Ｍｏｄｕｌｅ）カードと呼ばれるＩＣカードを挿入して使用する携帯電話について説明する。なお、携帯通信装置は、携帯電話に限定されるものではなく、ＰＤＡ（携帯情報端末）やＰＨＳ（簡易型携帯電話）などで構成するようにしてもよい。
図１（ａ）は、本実施形態に係る携帯電話における電池パック４０を取り外した状態の筐体本体部１０と電池カバー３０を、携帯電話の背面方向から見た斜視図である。
図１（ｂ）は、本実施形態に係る携帯電話におけるＳＩＭカード５０及び電池パック４０を装着した状態を示す背面図である。
図１（ｃ）は、本実施形態に係る携帯電話におけるＳＩＭカード５０及び電池パック４０を装着した状態を示す断面図である。
なお、図１（ｃ）は、図１（ｂ）に示すＡ−Ａ’方向から見た断面を示す。また、図１（ｂ）、（ｃ）では、電池カバー３０を取り外した状態を示す。
【００１１】
図１（ａ）〜（ｃ）に示すように、携帯電話の筐体は、筐体本体部１０と電池カバー３０から構成されている。
筐体本体部１０は、背面カバー１１、フレーム１２、内部筐体１３などを備えている。
背面カバー１１は、携帯電話の背面部における上側（電池パック４０の装着領域の反対側）の領域を覆うように配設されている。
フレーム１２は、携帯電話の外周（外縁）を囲むように設けられた枠であり、この内部に携帯電話の主要部品が収められている。
内部筐体１３は、フレーム１２の内部に設けられ、電池パック４０やＳＩＭカード５０の固定部、携帯電話の内部基板を固定する機能を有する。
背面カバー１１、フレーム１２、内部筐体１３は、最終的に組み立てられた状態において一体に形成される。
電池カバー３０は、組み立てられた筐体本体部１０に対して着脱可能な部品であり、携帯電話の背面部における下側（電池パック４０の装着領域及びその周辺領域）を保護するカバーとして機能する。
【００１２】
筐体本体部１０には、内部筐体１３により形成された電池パック４０を嵌め込み装着する凹部形状の電池嵌合部１４が設けられている。
また、筐体本体部１０には、その中央付近にＳＩＭカード５０を収納するためのカード収納部２０が設けられている。
カード収納部２０は、背面カバー１１の領域と電池カバー３０の両領域に渡って設けられている。
カード収納部２０は、電池嵌合部１４の背面カバー１１側の内壁面にＳＩＭカード５０の挿入部２１、即ち挿入側端部が設けられている、
【００１３】
カード収納部２０は、電池カバー３０を外した状態において、電池カバー３０と重なる領域の上面部が開放されるように構成されている。但し、電池カバー３０を外した状態であっても、カード収納部２０における背面カバー１１の領域の上面部は開放されない。
カード収納部２０におけるＳＩＭカード５０の挿抜方向（携帯電話の長手方向）の長さ、即ち、カード収納部２０の奥行きは、カード収納部２０の端部を構成する固定壁２２の位置で決められている。
カード収納部２０の奥行きの長さＬ１（電池嵌合部１４と固定壁２２間の距離）は、少なくとも、ＳＩＭカード５０自身の挿抜方向の長さＬ２より長く設定されている。これは、ＳＩＭカード５０を装着した際に、その端部が電池パック４０を装着する領域（電池嵌合部１４領域）にはみ出ないようにするためである。
【００１４】
また、カード収納部２０における背面カバー１１に覆われていない開放領域（電池カバー３０に覆われる領域）におけるＳＩＭカード５０の挿抜方向の長さＬ３は、ＳＩＭカード５０自身の挿抜方向の長さＬ２より短く設定されている。これは、電池パック４０を装着した状態において、ＳＩＭカード５０の挿抜をできないようにするためである。
カード収納部２０は、その底面が電池嵌合部１４の底面より上方に位置し、ちょうど、電池嵌合部１４とカード収納部２０との境界部で段差（段部）が形成されるように設けられている。
【００１５】
また、カード収納部２０は、ＳＩＭカード５０を挿入した状態において、電池嵌合部１４の底面からＳＩＭカード５０の上面までの高さＨ１が、電池嵌合部１４の底面から電池パック４０の上面までの高さＨ２より低くなるように構成されている。
これは、挿入されたＳＩＭカード５０がカード収納部２０から抜け落ちないように、電池パック４０で押さえるためである。
つまり、本実施形態に係る携帯電話では、電池パック４０を外した状態においてのみ、ＳＩＭカード５０の挿抜ができるように構成されている。
【００１６】
カード収納部２０には、ＳＩＭカード５０の挿抜方向と直交する方向における位置ズレを抑制するためのカードガイド２３が、ＳＩＭカード５０の挿抜方向に沿って設けられている。
カード収納部２０には、その内部にカードホルダ２４が設けられている。
カードホルダ２４は、カード収納部２０に挿入されたＳＩＭカード５０を支持するための部品である。
また、カードホルダ２４には、ＳＩＭカード５０におけるＩＣの端子と電気的に接続するためのカード接点２５が設けられている。携帯電話は、このカード接点２５を介してＳＩＭカード５０に内蔵されたＩＣから各種情報を読み出すように構成されている。
電池嵌合部１４側から挿入されたＳＩＭカード５０は、カードガイド２３によりカードホルダ２４へ案内される。つまり、カードガイド２３は、ＳＩＭカード５０を定位置まで案内する案内手段としての機能を有する。
なお、定位置とは、例えば、ＳＩＭカード５０が固定壁２２に突き当たる位置、又はその近傍における、ＳＩＭカード５０におけるＩＣの端子と、カードホルダ２４のカード接点２５とが電気的に接触（接続）可能な位置を示す。
【００１７】
電池嵌合部１４の背面カバー１１側の内壁面には、後述する電池パック４０に設けられた電極端子４２（ターミナル）と電気的に接続するための電池接点１５が設けられている。
本実施形態に係る携帯電話には、電池接点１５として、＋接点、−接点、Ｇ接点の３つのターミナルが設けられている。
電池接点１５は、金属製のバネ状部材で形成され、このバネの付勢力を利用して、後述する電池パック４０の電極端子４２と電気的に接触するように構成されている。携帯電話の動作電力は、電池接点１５を介して電池パック４０から供給される。
また、電池嵌合部１４の背面カバー１１側の内壁面の両端には、電池パック４０を装着（固定）するための、後述する電池パック４０に設けられた固定フック４３と掛合するフック受け部１６が設けられている。
【００１８】
ここで、本実施形態に係る携帯電話に装着される電池パック４０について説明する。
図２は、本実施形態に係る携帯電話に装着される電池パック４０を、携帯電話の背面方向から見た斜視図である。
図２に示すように、方形の電池パック４０には、凸部４１、電極端子４２、固定フック４３、取り出し爪４４が設けられている。
凸部４１は、電池パック４０の上面から側面方向に突出したフランジ状の突起である。凸部４１は、電池パック４０を装着した際にカード収納部２０に挿入されたＳＩＭカード５０を挿入部２１側から支持する、即ち、ＳＩＭカード５０の脱離を抑止する係止手段として機能する。
詳細については後述するが、凸部４１は、ＳＩＭカード５０をカード収納部２０における定位置まで挿入を容易にするための挿入用治具（補助部）としての機能を有する。
【００１９】
電極端子４２は、上述した電池嵌合部１４に設けられた電池接点１５と対応する、電池パック４０の側面に設けられたターミナルである。電極端子４２は、電池接点１５のように突出する構造ではなく、板状の金属端子からなる。
固定フック４３は、上述した電池嵌合部１４に設けられたフック受け部１６と掛合することにより、電池パック４０を固定するための突起である。固定フック４３は、電池パック４０における電極端子４２が設けられた側面の両端に設けられている。
取り出し爪４４は、装着された電池パック４０を取り外す際に指を引っ掛けるための突起であり、固定フック４３の反対側の側面の上部に設けられている。
電池パック４０は、取り出し爪４４を持ち上げ、そして、固定フック４３とフック受け部１６との掛合を解除することにより、携帯電話から外れるように構成されている。
【００２０】
また、図１（ｃ）に示すように、携帯電話には、情報を入力するためのファンクションキー、テンキーなどの操作部６０や、情報を表示する液晶画面（図示せず）を保護するためのディスプレイカバー６１が設けられている。
なお、本実施形態では、操作部６０やディスプレイカバー６１が設けられている面を携帯電話の正面方向とし、背面カバー１１や電池カバー３０が配設される面を背面方向とする。
また、図示されていないが、筐体本体部１０やディスプレイカバー６１の内部には、携帯電話の制御回路が形成された制御基板や液晶基板などが配設されている。
【００２１】
本実施形態に係る携帯電話は、例えば、携帯電話会社が発行する、電話番号やユーザＩＤなどの契約者情報を記録したＩＣを内蔵したＳＩＭカード５０を装着することにより、通信機能が有効になる方式を利用したものである。
次に、このように構成された携帯電話におけるＳＩＭカード５０の挿抜（着脱）方法について説明する。
はじめに、ＳＩＭカード５０を携帯電話の筐体本体部１０の装着する方法、即ち、ＳＩＭカード５０をカード収納部２０に挿入する方法について説明する。
図３（ａ）〜（ｃ）は、ＳＩＭカード５０の挿入手順を示した図である。
ＳＩＭカード５０を装着する場合には、予め電池パック４０を携帯電話から取り外しておく。
【００２２】
そして、ＳＩＭカード５０を電池嵌合部１４側（挿入部２１）からカードガイド２３に沿って挿入する。
ある程度までユーザの指でＳＩＭカード５０をカード収納部２０に挿入した後、電池パック４０を利用して、ＳＩＭカード５０を定位置まで挿入する。
詳しくは、図３（ａ）に示すように、ＳＩＭカード５０の後端（挿入方向を前方とした場合）と、電池パック４０に設けられた凸部４１の先端とを突き合わせる。そして、この突き合わせ状態のまま、電池パック４０を固定壁２２方向に移動させながらＳＩＭカード５０をさらに奥まで挿入する。
【００２３】
図３（ｂ）に示すように、電池パック４０の側面が電池嵌合部１４に突き当たるまで、電池パック４０を移動させる。
その後、電池パック４０の固定フック４３を電池嵌合部１４のフック受け部１６に掛合させ、その状態のまま、電池パック４０の後端（取り出し爪４４側）を電池嵌合部１４の底面方向に押し入れる。
図３（ｃ）に示すように、ＳＩＭカード５０がカード収納部２０の定位置に装着される。ＳＩＭカード５０は、電池パック４０の凸部４１によって、カード収納部２０から脱離しない（抜け落ちない）ように固定されている。つまり、凸部４１は、ＳＩＭカード５０の脱離抑制のための係止手段として機能する。
このように、本実施形態に係る携帯電話では、電池パック４０に設けられた凸部４１を利用することにより、電池パック４０の装着と同時に、ＳＩＭカード５０を定位置まで挿入することができるように構成されている。
【００２４】
一般に、電池パック４０の装着は、本実施形態のように、電池嵌合部１４に設けられた電池接点１５と、電池パック４０の電極端子４２を、はじめに突き合わせてから嵌め込むようにして行う。
そのため、本実施形態では、電池パック４０の凸部４１と電極端子４２を同じ面側に設けることにより、つまり、カード収納部２０と電池接点１５を電池嵌合部１４における同じ内壁面側に設けることにより、電池パック４０の装着と同時にＳＩＭカード５０の挿入を行うことができる。
【００２５】
次に、ＳＩＭカード５０を携帯電話の筐体本体部１０から取り外す方法について説明する。
図４（ａ）〜（ｃ）は、ＳＩＭカード５０の抜き取り手順を示した図である。
ＳＩＭカード５０を抜き取る場合もまた、予め電池パック４０を携帯電話から取り外しておく。
図４（ａ）（ｂ）に示すように、ＳＩＭカード５０が露出している領域に指を当て、その指を電池嵌合部１４側にスライドさせることによって、ＳＩＭカード５０を電池嵌合部１４側（挿入部２１）へ移動させる。
この時、カード収納部２０の開放領域において、ＳＩＭカード５０を背面カバー１１内から掻き出すように指を動かすことにより、負荷をかけることなく安全にＳＩＭカード５０を引き出すことができる。
図４（ｃ）に示すように、ＳＩＭカード５０が全て背面カバー１１から抜き出されるまで、ＳＩＭカード５０を移動させる。
その後、ＳＩＭカード５０の電池嵌合部１４側の端をつまみ上げて、携帯電話から完全に取り外す。
【００２６】
このように、本実施形態に係る携帯電話では、電池嵌合部１４の底面とカード収納部２０との間に段差が設けられているため、ＳＩＭカード５０をつまみ上げる際に指を挿入するスペースを確保することができる。そのため、ＳＩＭカード５０を取り外す作業を容易に行うことができる。
本実施形態に係る携帯電話では、カード収納部２０における挿入部２１側を開放することにより、ＳＩＭカード５０を引き出し易くすることができる。
カード収納部２０に開放領域を設けることにより、従来のようなＳＩＭカード５０の全てが背面カバー１１内に収められている場合と比較して、ＳＩＭカード５０を引き出すための移動長を短くすることができる。これにより、脱着時に掛かるＳＩＭカード５０の負荷がより軽減されるため、ＳＩＭカード５０の破損を防止することができる。
【００２７】
さらに、カード収納部２０に開放領域を設けることにより、図１（ｂ）に示すように、電池パック４０を装着した状態において、ＳＩＭカード５０の存在の有無を視覚的に容易に認識させることができる。
カード収納部２０に挿入された状態において、ＳＩＭカード５０が露出する領域に、カードを視覚的に識別できる表示を施すことにより、電池パック４０を装着した状態において、ＳＩＭカード５０の種別等を容易に識別することができる。
【００２８】
（変形例）
上述した本実施形態に係る携帯電話では、電池パック４０に凸部４１を設けた場合について説明したが、この凸部４１は、必ずしも設ける必要はない。変形例では、凸部４１を有さない携帯電話について説明する。
図５は、変形例に係る携帯電話におけるＳＩＭカード５０及び電池パック４０’を装着した状態を示す背面図である。
なお、この変形例では、本実施形態に係る携帯電話と重複する部位には同じ符号を付し、詳細な説明は省略する。
図５に示すように、電池パック４０’には、ＳＩＭカード５０を直接支持する（押さえる）ための突起が設けられていない。
このように、電池パック４０’を構成する場合であっても、上述した本実施形態に係る携帯電話と同様に、カード収納部２０は、ＳＩＭカード５０を挿入した状態において、電池嵌合部１４の底面からＳＩＭカード５０の上面までの高さＨ１が、電池嵌合部１４の底面から電池パック４０’の上面までの高さＨ２より低くなるように構成する。これにより、ＳＩＭカード５０は、電池パック４０’における背面カバー１１側の側面によって、カード収納部２０から抜け落ちることを防止することができる。この場合、電池パック４０’がＳＩＭカード５０の脱離を抑止する係止手段として機能する。
【００２９】
また、カード収納部２０に設けられたカードホルダ２４のカード接点２５をバネ部材で形成し、このバネの付勢力を利用して、ＳＩＭカード５０が定位置からずれることを抑制するようにしてもよい。
なお、このような、カード接点２５を利用したＳＩＭカード５０のズレ防止構造は、上述した本実施形態に係る携帯電話においても適用することができる。
ズレ防止構造を併用することにより、ＳＩＭカード５０をより強固に定位置において支持することができる。
【図面の簡単な説明】
【００３０】
【図１】（ａ）は本実施形態に係る携帯電話における電池パックを取り外した状態の筐体本体部と電池カバーを、携帯電話の背面方向から見た斜視図であり、（ｂ）は携帯電話におけるＳＩＭカード及び電池パックを装着した状態を示す背面図であり、（ｃ）は携帯電話におけるＳＩＭカード及び電池パックを装着した状態を示す断面図である。
【図２】本実施形態に係る携帯電話に装着される電池パックを、携帯電話の背面方向から見た斜視図である。
【図３】ＳＩＭカードの挿入手順を示した図である。
【図４】ＳＩＭカードの抜き取り手順を示した図である。
【図５】変形例に係る携帯電話におけるＳＩＭカード及び電池パックを装着した状態を示す背面図である。
【符号の説明】
【００３１】
１０  筐体本体部
１１  背面カバー
１２  フレーム
１３  内部筐体
１４  電池嵌合部
１５  電池接点
１６  フック受け部
２０  カード収納部
２１  挿入部
２２  固定壁
２３  カードガイド
２４  カードホルダ
２５  カード接点
３０  電池カバー
４０  電池パック
４１  凸部
４２  電極端子
４３  固定フック
４４  取り出し爪
５０  ＳＩＭカード
６０  操作部
６１  ディスプレイカバー
【図１】
0005039935.tif 000002
【図２】
0005039935.tif 000003
【図３】
0005039935.tif 000004
【図４】
0005039935.tif 000005
【図５】
0005039935.tif 000006